(57)【要約】  【課題】少なくとも、机を使用する使用者が、棚板にアクセスし易く構成された机のサイドパネルを提供する。  【解決手段】机のサイドパネルは、机の天板に装着して使用されるものであって、天板の領域を仕切るパネル本体と、このパネル本体の少なくとも一側面に設けられた棚板とを具備してなる。より具体的なものとしては、棚板が、天板よりも下方で且つ少なくとも一部が天板の使用端よりも手前外方に位置した状態でパネル本体に設けられたものや、棚板が、パネル本体に荷物を載置可能な使用姿勢とパネル本体に接近する収納姿勢との間で移動させ得るように設けられたものなどがある。【選択図】図１
2018143317.tif 000002
【特許請求の範囲】
【請求項１】
机の天板に装着して使用されるものであって、
天板の領域を仕切るパネル本体と、このパネル本体の少なくとも一側面に設けられた棚板とを具備してなる机のサイドパネル。
【請求項２】
前記棚板が、前記天板よりも下方で且つ少なくとも一部が前記天板の使用端よりも手前外方に位置した状態でパネル本体に設けられたものである請求項１記載の机のサイドパネル。
【請求項３】
前記棚板が、前記パネル本体に荷物を載置可能な使用姿勢と前記パネル本体に接近する収納姿勢との間で移動させ得るように設けられたものである請求項１または２記載の机のサイドパネル。
【請求項４】
前記パネル本体が、上下方向中間位置に前記天板に使用端側から嵌合させることができる嵌合溝を備えたものであり、
この嵌合溝の上方に位置して天板の上面側を左右に仕切るための上仕切り領域と、前記嵌合溝の下方に位置して天板の下面側を左右に仕切るための下仕切り領域と、天板の使用端よりも外側に位置して使用者の居る空間を左右に仕切るための外側仕切り領域とを備えたものであり、
前記棚板が前記下仕切り領域と前記外側仕切り領域に亘って設けられている請求項１、２又は３記載の机のサイドパネル。
【発明の詳細な説明】
【技術分野】
【０００１】
本発明は、天板に装着して使用される机のサイドパネルに関する。
【背景技術】
【０００２】
従来の机には、使用者が一時的に荷物を置くための棚板が設けられていることが少なくない（例えば、特許文献１を参照）。
【０００３】
上述したようなものは、棚板の全体が、天板の使用縁よりも奥まった位置に配されている。このため、使用者は、棚板の存在に気付かないこともある。また、使用者は、棚板に荷物を置く際に比較的大きな動作で天板の下を覗き込んだり屈んだりすることを強いられていた。
【０００４】
しかも、従来のものは、棚板が固定した姿勢をなしていたため、当該棚板を使用しない場合であっても下肢空間を不当に占拠してしまうものとなっていた。
【先行技術文献】
【特許文献】
【０００５】
【特許文献１】特開平９−１３５７３０号公報
【発明の概要】
【発明が解決しようとする課題】
【０００６】
本発明は、以上のような事情に着目してなされたもので、少なくとも、机を使用する使用者が、棚板に好適にアクセスし得る机のサイドパネルを提供することにある。
【課題を解決するための手段】
【０００７】
すなわち、本発明は次の構成をなしている。
【０００８】
請求項１に記載の発明は、机の天板に装着して使用されるものであって、天板の領域を仕切るパネル本体と、このパネル本体の少なくとも一側面に設けられた棚板とを具備してなる机のサイドパネルである。
【０００９】
請求項２に記載の発明は、前記棚板が、前記天板よりも下方で且つ少なくとも一部が前記天板の使用端よりも手前外方に位置した状態でパネル本体に設けられたものである請求項１記載の机のサイドパネルである。
【００１０】
請求項３に記載の発明は、前記棚板が、前記パネル本体に荷物を載置可能な使用姿勢と前記パネル本体に接近する収納姿勢との間で移動させ得るように設けられたものである請求項１または２記載の机のサイドパネルである。
【００１１】
請求項４に記載の発明は、前記パネル本体が、上下方向中間位置に前記天板に使用端側から嵌合させることができる嵌合溝を備えたものであり、この嵌合溝の上方に位置して天板の上面側を左右に仕切るための上仕切り領域と、前記嵌合溝の下方に位置して天板の下面側を左右に仕切るための下仕切り領域と、天板の使用端よりも外側に位置して使用者の居る空間を左右に仕切るための外側仕切り領域とを備えたものであり、前記棚板が前記下仕切り領域と前記外側仕切り領域に亘って設けられている請求項１、２又は３記載の机のサイドパネルである。
【発明の効果】
【００１２】
以上説明したように本発明によれば、少なくとも、机を使用する使用者が、棚板に好適にアクセスし得る机のサイドパネルを提供することができるものとなる。
【図面の簡単な説明】
【００１３】
【図１】本発明の一実施形態を示す斜視図。
【図２】同実施形態における斜視図。
【図３】同実施形態における平面図。
【図４】同実施形態における部分拡大底面図。
【図５】同実施形態における斜視図。
【図６】同実施形態における正面図。
【図７】同実施形態における左側面図。
【図８】図７におけるＸ−Ｘ線断面図。
【図９】同実施形態における分解斜視図。
【図１０】同実施形態における分解斜視図。
【図１１】同実施形態における正面図。
【図１２】同実施形態における作用説明図。
【図１３】同実施形態における作用説明図。
【図１４】同実施形態における作用説明図。
【図１５】同実施形態における作用説明図。
【発明を実施するための形態】
【００１４】
以下、本発明の一実施形態を、図１〜１５を参照して説明する。
【００１５】
この実施形態は、本発明を、机であるハイテーブルＡに装着して使用されるサイドパネルＦに適用したものである。
【００１６】
ハイテーブルＡは、図１〜３等に示すように、天板Ｂと、天板Ｂを四ケ所のコーナー部において支持する主脚Ｃと、主脚Ｃとは異なった位置に設けられ天板Ｂの揺動を抑制する補助脚Ｄとを備えている。ハイテーブルＡは、天板Ｂの上面が床面から８００ｍｍ〜１０５０ｍｍの高さに位置するものとなっている。この実施形態では、天板Ｂの上面が、床面から約１０００ｍｍの高さに設定されている。
【００１７】
天板Ｂは、使用者がハイテーブルＡに対応したハイチェア（図示せず）に座った状態、又は、使用者が床面に立った状態で使用され得るものである。この実施形態に示された天板Ｂは、二人の使用者が同時に使用し得ることを想定した左右幅寸法に設定されている。そして、天板Ｂに着脱可能に装着されたサイドパネルＦにより、隣の使用者の存在が気にならないような使用者の個々の専用的な空間を形成し得るべく、隣り合う二人の使用者間を仕切ることができるようになっている。
【００１８】
天板Ｂは、その反使用端ｅ２側に配線コード（図示せず）を天板Ｂ上に引き出すための配線コード引出口ａを備えている。配線コード引出口ａは、長方形状のものであり、左右に対をなして設けられている。各配線コード引出口ａは、配線カバーｂにより開閉可能に覆われている。天板Ｂの右側端部には、側端部用サイドパネルＥが設けられている。天板Ｂの左右方向中間位置における手前側すなわち使用端ｅ１側には、本発明に係るサイドパネルＦが取り付けられている。
【００１９】
サイドパネルＦは、図１〜４に示すように、ハイテーブルＡの天板Ｂに装着して使用されるものである。サイドパネルＦは、天板Ｂの領域を仕切るパネル本体Ｇと、パネル本体Ｇの一側面に設けられた棚板７を有する可動棚Ｈとを具備してなる。
【００２０】
パネル本体Ｇは、図１〜９等に示すように、天板Ｂに対して起立した姿勢をなす板状のものである。パネル本体Ｇは、正面視において天板Ｂに対して略直交する姿勢をなしている。パネル本体Ｇは、上下方向中間位置に天板Ｂに使用端ｅ１側から嵌合させることができる嵌合溝４を備えている。嵌合溝４は、後方すなわち奥側に向かって開放した形態をなしている。
【００２１】
パネル本体Ｇは、嵌合溝４の上方に位置して天板Ｂの上面側を左右に仕切るための上仕切り領域１と、嵌合溝４の下方に位置して天板Ｂの下面側を左右に仕切るための下仕切り領域２と、天板Ｂの使用端ｅ１よりも外側すなわち手前側に位置して使用者の居る空間を左右に仕切るための外側仕切り領域３とを備えている。
【００２２】
外側仕切り領域３の手前端縁３１と上仕切り領域１の奥端縁１１との間の前後寸法ｗ１は、外側仕切り領域３の手前端縁３１と下仕切り領域２の奥端縁２１との間の前後寸法ｗ２よりも大きく設定されている。外側仕切り領域３の手前端縁３１と上仕切り領域１の奥端縁１１は、それぞれ上下方向に延びており、両者は略平行をなしている。下仕切り領域２の奥端縁２１は、上下方向に延びており、外側仕切り領域３の手前端縁３１と略平行をなしている。
【００２３】
嵌合溝４は、天板Ｂの上面に当接する上辺部４１と、天板Ｂの下面に対面する下辺部４２とを備えている。下辺部４２と天板Ｂの下面との間には、クランプ装置５が設けられている。
【００２４】
クランプ装置５は、図５〜９に示すように、嵌合溝４の下辺部４２上に配される固定板５１と、固定板５１上に配される昇降板５２と、固定板５１を足場にして昇降板５２を天板Ｂの下面に押し付ける押し付けネジｖ１とを具備してなる。
【００２５】
固定板５１は、対をなすブラケット５３を介してパネル本体Ｇに水平姿勢で固設されている。固定板５１には、ネジ孔ｈ１が設けられている。そして、ネジ孔ｈ１に押し付けネジｖ１が螺合進退可能に装着されている。
【００２６】
図８に示すように、ブラケット５３は、取り付けネジｖ２により、パネル本体Ｇに取り付けられている。また、固定板５１は、取り付けネジｖ３により、ブラケット５３に固定されている。
【００２７】
可動棚Ｈは、起立した壁面であるパネル本体Ｇの一側面に設けられるベース部材６と、ベース部材６に支軸Ｊを介して軸支され載置面ｓｍが上側を向く略水平な使用姿勢（ａ）から載置面ｓｍが壁面に接近する収納姿勢（ｃ）までの間で回動可能な棚板７と、棚板７の回動を利用して支軸Ｊのベース部材６に対する高さ位置を変化させる支軸付勢機構Ｉとを具備したものである。
【００２８】
ベース部材６は、取り付けネジｖ４を用いてパネル本体Ｇの一側面に取り付けられる起立壁６１と、起立壁６１の上縁から略水平に延出する天壁６２と、起立壁６１の両端部から当該起立壁６１と略直交する方向に延出する側壁６３とを備えた板金製のものである。ベース部材６における側壁６３の外側には、合成樹脂製のカバー６４が着脱可能に設けられている。
【００２９】
棚板７は、図１〜１４に示すように、板状をなす棚板本体７１と、棚板本体７１の基端部に装着されベース部材６の側壁６３に対面する側板７５を備えた基端ブラケット７２とを備えたものである。なお、基端ブラケット７２の側板７５には、後述する支軸付勢機構Ｉを構成する支軸Ｊと移動軸Ｋとが所定の間隔をあけて突設されている。
【００３０】
棚板７は、天板Ｂよりも下方で且つ一部が平面視又は底面視において天板Ｂの使用端ｅ１よりも手前外方に位置した状態でパネル本体Ｇに設けられている。換言すれば、棚板７は、下仕切り領域２と外側仕切り領域３に亘って設けられている。棚板７は、載置面ｓｍの上に鞄類や紙物等の荷物（図示せず）を載置可能な使用姿勢（ａ）と載置面ｓｍがパネル本体Ｇと略平行をなすように接近する収納姿勢（ｃ）との間で移動させ得るように設けられたものである。
【００３１】
棚板７は、図６、及び、図８に示すように、無負荷状態における使用姿勢（ａ）においては、約五度だけ水平に対して自由端側が基端側よりも高くなるように傾斜させてある。これは、棚板７の上に比較的重量のある荷物を載置した場合に、棚板７が荷物の重さに起因して下垂れしてしまい、荷物が落下してしまうのを抑制するための対策である。
【００３２】
棚板本体７１は、鞄等の荷物を載置し得る載置面ｓｍを有したものであり例えば木製のものである。棚板本体７１は、前後方向に長い長方形状をなしたものである。
【００３３】
基端ブラケット７２は、棚板本体７１の基端部下面に添接する底板７３と、底板７３の基端縁から立設され、棚板本体７１の基端面側に位置する背板７４と、底板７３の両側縁から突設され棚板本体７１の側面側に位置する側板７５とを備えてなる板金製のものである。対をなす側板７５には、それぞれ支軸Ｊ及び移動軸Ｋが外方に突設されている。
【００３４】
基端ブラケット７２は、底板７３に固設されたナットｎｔと、棚板本体７１に貫設されナットｎｔに螺合する図示しない取り付けネジを用いて棚板本体７１に固定されている。
【００３５】
なお、ベース部材６と棚板７との間には、図示しないクッションを介在させるようにしてもよい。このようにした場合には、棚板７が使用姿勢（ａ）をとる際に、ベース部材６と棚板７との間で移動軸Ｋとカム溝Ｍとが係わり合う前にクッションが圧縮されるように設定し得るものとなり、移動軸Ｋへの負荷を好適に低減させ得るものとなる。
【００３６】
支軸付勢機構Ｉは、図１１〜１５に示すように、棚板７が収納姿勢（ｃ）から使用姿勢（ａ）に戻り始める領域、つまり、収納姿勢（ｃ）と使用姿勢（ａ）との間の所定領域において支軸Ｊを棚板７の自重に抗して軸受けＬ内において上昇させ得るように構成されている。支軸付勢機構Ｉは、支軸Ｊに対して偏心した位置に設けられ棚板７の回動に伴って支軸Ｊ周りに公転する移動軸Ｋと、ベース部材６の側壁６３に設けられ支軸Ｊを回転可能且つ上動可能に枢支する軸受けＬと、軸受けＬの近傍に位置させて側壁６３に設けられ移動軸Ｋを案内する案内路であるカム溝Ｍとを備えたものである。
【００３７】
支軸Ｊは、棚板７の側板７５に固設された支軸本体Ｊ１と、この支軸本体Ｊ１に外嵌されたスリーブＪ２とを備えたものである。
【００３８】
移動軸Ｋは、棚板７の側板７５に固設された移動軸本体Ｋ１と、この移動軸本体Ｋ１に外嵌されたスリーブＫ２とを備えたものである。
【００３９】
軸受けＬは、ベース部材６の側壁６３に設けられている。軸受けＬは、上側に向かって開放された切欠状のものである。軸受けＬは、図１５において拡大して示すように、支軸Ｊを最も低い位置で回動可能に支持する下端軸支部Ｌ１と、支軸Ｊが下端軸支部Ｌ１から上方に浮き上がるのを許容する上動許容部Ｌ２とを備えている。そして、下端軸支部Ｌ１の軸心ｎ１とカム溝Ｍの導線ｍ１との距離ｗ４が、棚板７の回動範囲における一部の領域である中間領域ｃｒにおいて支軸Ｊの軸心ｓ１と移動軸Ｋの軸心ｓ２との軸心間距離ｗ３よりも短く設定されている。
【００４０】
ここで、図１５の符号ｗ４は、下端軸支部Ｌ１の軸心ｎ１とカム溝Ｍの導線ｍ１との距離が最も短い関係になる箇所を示している。なお、軸受けＬにおける下端軸支部Ｌ１の軸心ｎ１は、棚板７が使用姿勢（ａ）及び収納姿勢（ｃ）にある際の支軸Ｊの軸心ｓ１と略一致する位置となる。
【００４１】
カム溝Ｍは、図１５において拡大して示すように、移動軸Ｋが所定の範囲でスライド移動し得る幅寸法に設定された曲線スリット状のものである。すなわち、カム溝Ｍの幅寸法は、移動軸Ｋの直径と近似した値に設定されている。カム溝Ｍは、軸受けＬの下方に配されている。カム溝Ｍにおける幅方向中央に略合致した導線ｍ１の中間領域ｃｒは、軸受けＬにおける下端軸支部Ｌ１の軸心ｎ１を中心にした仮想円弧ｅｋに対して部分的に軸受けＬ寄りに変移させてある。
【００４２】
以下、本実施形態における可動棚Ｈの作動について説明する。
【００４３】
図１〜３は、可動棚Ｈの棚板７を、使用姿勢（ａ）に保持している状態を示している。棚板７が使用姿勢（ａ）にあると、サイドパネルＦの図中左側に所在する使用者は、鞄等の荷物を棚板７の上に載置することができる。棚板７は、平面視において、その一部が天板Ｂの使用端ｅ１よりも外側に位置している。このため、従来品、すなわち天板の下肢空間における奥方に棚板が存在するような既知の机等と比較して、ハイテーブルＡに棚板７を備えたサイドパネルＦを取り付けた構成のものであれば、棚板７へのアクセスが容易であり、種々の荷物を一時的に載置するための使い勝手に優れている。なお、棚板７を使用しない場合には、図１４に示すように、棚板７を収納姿勢（ｃ）にしておけば使用者の移動の邪魔になることが抑制されるものとなる。
【００４４】
棚板７は、支軸付勢機構Ｉの働きにより、収納姿勢（ｃ）に安定保持されている。このため、使用者が意識して棚板７を使用姿勢（ａ）方向に一定以上の力を加えて操作しない限り当該棚板７が収納姿勢（ｃ）から使用姿勢（ａ）に自己復帰することはない。
【００４５】
すなわち、図１４に示すように、棚板７が収納姿勢（ｃ）にあるときは、当該棚板７に作用する重力により、支軸Ｊが軸受けＬの下端軸支部Ｌ１に落ち込んで位置しており、移動軸Ｋも支軸Ｊの落ち込みを許容するようにカム溝Ｍの一端である下端領域ｋｒに待機した状態となっている。
【００４６】
この収納姿勢（ｃ）をとる棚板７に対して、使用者が、使用姿勢（ａ）方向への力を作用させると、図１３に示すように、棚板７が収納姿勢（ｃ）から使用姿勢（ａ）に戻り始める所定の領域で、支軸付勢機構Ｉの働きで、支軸Ｊが棚板７の自重に抗して上昇させられる。つまり、棚板７は、一定以上の操作力が加えられない限り、収納姿勢（ｃ）から使用姿勢（ａ）に遷移することができないものとなっている。
【００４７】
本実施形態における可動棚Ｈは、キャッチ機構等の専用的な姿勢保持機構を設けることなく、棚板７に作用する重力を利用して棚板７を収納姿勢（ｃ）に安定保持させておくことができる。図１５に示すように、棚板７が、収納姿勢（ｃ）から使用姿勢（ａ）方向に回動し始めると、移動軸Ｋがカム溝Ｍの下端領域ｋｒから他端である上端領域ｊｒ方向に移動することになる。その際、軸受けＬにおける下端軸支部Ｌ１の軸心ｎ１とカム溝Ｍにおける導線ｍ１との離間距離が徐々に短くなっていくため、棚板７が回動を継続するためには、移動軸Ｋからの離間距離が固定されている支軸Ｊが、軸受けＬにおける下端軸支部Ｌ１から上動許容部Ｌ２側に移動せざるを得なくなる。
【００４８】
図１３は、棚板７が収納姿勢（ｃ）から使用姿勢（ａ）に向かう途中において支軸Ｊが軸受けＬ内において最も高い位置に押し上げられた中間姿勢（ｂ）を示すものである。
【００４９】
その後、棚板７が、中間姿勢（ｂ）を経て使用姿勢（ａ）を採ると、当該棚板７に作用する重力により、支軸Ｊが軸受けＬの下端軸支部Ｌ１に落ち込んで位置し、移動軸Ｋもカム溝Ｍの一端である上端領域ｊｒに位置することとなる。
【００５０】
以上に述べたように、棚板７が収納姿勢（ｃ）から使用姿勢（ａ）に移るとき、換言すれば、移動軸Ｋが、カム溝Ｍの下端領域ｋｒから上端領域ｊｒ方向に移動しようとするときに、支軸付勢機構Ｉの作用により、使用者による棚板７に対する意識的な操作力が要求されるものとなっているため、棚板７が振動等によって勝手に使用姿勢（ａ）に復帰するようなことが好適に回避され得るものとなっている。
【００５１】
サイドパネルＦは、パネル本体Ｇの起立面を有効に利用して、ハイテーブルＡを使用する使用者の側方近傍に棚板７を配置したものとなっている。このため、棚板７に対して天板Ｂを使用する使用者がアクセスし易い構成を好適に採り得るとともに、不使用時において棚板７が使用者の邪魔になることが好適に抑制されたものとなる。
【００５２】
サイドパネルＦが棚板７を有した可動棚Ｈを備えているという構造を採っているため、使用者が視認しやすく且つアクセス容易な位置である使用者の側部に、鞄等の荷物を床面から離れた状態に留め置くことができるものとなる。このため、鞄等の荷物を床面に直接的に置くようなことが好適に回避されるものとなる。使用者は、床面よりも近い位置となる棚板７の載置面ｓｍ上に自己の荷物を置くことができるため、盗難等による紛失の心配が軽減され安心感を得るものとなる。この点は、ハイテーブルＡを使用する使用者において顕著である。使用者は、床面ではなく、棚板７の載置面ｓｍ上に自己の荷物を置くことができるため、清潔感を感じることができるものとなる。
【００５３】
本実施形態の可動棚Ｈであれば、使用姿勢（ａ）だけでなく収納姿勢（ｃ）においても棚板７をパネル本体Ｇに対して安定保持することができるとともに収納姿勢（ｃ）を保持するための外付け的な保持機構が不要なものとなる。
【００５４】
すなわち、棚板７が使用姿勢（ａ）をとる場合には、棚板７の基端ブラケット７２における背板７４の上端縁が、ベース部材６における天壁６２の下面に当接して、所期の姿勢が保持される。一方で、棚板７が収納姿勢（ｃ）をとる場合には、支軸Ｊが軸受けＬの下端軸支部Ｌ１に落ち込んだ状態で保持されている。そして、使用者の操作により、棚板７を収納姿勢（ｃ）から使用姿勢（ａ）に倒そうとすると、使用者は、支軸Ｊを棚板７とともに当該棚板７に作用する重力に抗して上方に持ち上げることが必要となる。そのため、使用者によって意識して棚板７を使用姿勢（ａ）の方向に倒そうとする所定の操作力を加えない限り、当該棚板７は収納姿勢（ｃ）に安定保持されることになる。したがって、棚板７が使用姿勢（ｃ）にある場合には、その姿勢を安定保持するための外付け的な保持機構が不要なものとなる。従来技術、例えば、つっかえ棒式の保持機構や、マグネットの吸着作用を利用したキャッチ機構等を設ける場合と比べて、本実施形態に示すような支軸付勢機構Ｉを備えた可動棚Ｈであれば、構成の簡略化を好適に図り得るものとなっている。
【００５５】
棚板７が使用姿勢（ａ）をとる際に、水平ではなく若干傾斜した姿勢をなしている。このため、比較的重い荷物を棚板７の載置面ｓｍに載置した結果として仮に各部が大きく弾性変形したとしても、棚板７が下垂れして荷物を落下させるようなことが好適に抑制され得るものとなっている。
【００５６】
なお、図１４に示すように、棚板７が収納姿勢（ｃ）をとる際には、棚板７の載置面ｓｍが、パネル本体Ｇの外面と略平行となるように設定されている。このため、棚板７が収納姿勢（ｃ）をとる場合においても、棚板７とパネル本体Ｇとの間の隙間ｓｋに、ベース部材６の天壁６２の上面を底面として、雑誌等の書籍や、書類やファイル等を立てかけておくことも可能である。
【００５７】
以上説明したように、本実施形態におけるサイドパネルＦは、机であるハイテーブルＡの天板Ｂに装着して使用されるものである。そして、天板Ｂの領域を仕切るパネル本体Ｇと、このパネル本体Ｇの少なくとも一側面に設けられた棚板７とを具備してなる。このため、ハイテーブルＡを使用する使用者が、棚板７にアクセスし易く構成されたサイドパネルＦを提供することができるものとなる。
【００５８】
棚板７が、天板Ｂよりも下方で且つ少なくとも一部が天板Ｂの使用端ｅ１よりも手前外方に位置した状態でパネル本体Ｇに設けられたものである。このため、使用者が棚板７に対して、容易にアクセスし得るものとなっている。
【００５９】
棚板７が、パネル本体Ｇに鞄や袋物等の荷物を載置可能な使用姿勢（ａ）とパネル本体Ｇに接近する収納姿勢（ｃ）との間で移動させ得るように設けられたものである。このため、使用者が棚板７を使用しない場合には、空間を不当に占拠しないものとなっている。
【００６０】
パネル本体Ｇが、上下方向中間位置に天板Ｂに使用端ｅ１側から嵌合させることができる嵌合溝４を備えている。そして、嵌合溝４の上方に位置して天板Ｂの上面側を左右に仕切るための上仕切り領域１と、嵌合溝４の下方に位置して天板Ｂの下面側を左右に仕切るための下仕切り領域２と、天板Ｂの使用端ｅ１よりも外側に位置して使用者の居る空間を左右に仕切るための外側仕切り領域３とを備えている。このため、パネル本体Ｇは、天板Ｂにおける上下の空間だけでなく使用者の居る空間を好適に仕切り得るものとなっている。
【００６１】
棚板７が下仕切り領域２と外側仕切り領域３に亘って設けられている。つまり、棚板７が使用者から視認しやすい位置に設定されている。このため、使用者の利便性に優れたものとなっている。
【００６２】
嵌合溝４が、天板Ｂの上面に当接する上辺部４１と、前記天板Ｂの下面に対面する下辺部４２とを備えたものであり、この下辺部４２と天板Ｂの下面との間にクランプ装置５が設けられている。このため、パネル本体Ｇを天板Ｂに対して好適に装着し得るものとなっている。
【００６３】
外側仕切り領域３の手前端縁３１と上仕切り領域１の奥端縁１１との間の前後寸法が、外側仕切り領域３の手前端縁３１と下仕切り領域２の奥端縁２１との間の前後寸法よりも大きく設定されている。このため、パネル本体Ｇは、天板Ｂの上側及び下側の空間を適切に仕切ることができるものとなっている。
【００６４】
なお、本発明は、以上に詳述した実施形態に限られるものではない。
【００６５】
机は、上述したようなハイテーブルに限られるものではない。すなわち、机は、使用者が作業し得る天板を有するものであればどのようなものであってもよい。
【００６６】
サイドパネルは、天板の左右方向中間部に配されるものに限られるものではなく、例えば、天板の端部に配されるものであってもよい。
【００６７】
棚板は、必ずしもパネル本体に対して回動可能に設けられたものには限られない。棚板が、パネル本体に対して、所定の角度で固設されたものであってもよい。
【００６８】
棚板は、パネル本体の一側面に設けられるものに限られず、両面に設けられたものであってもよい。
【００６９】
棚板は、全部が、平面視において天板の使用端よりも手前外方に位置した状態でパネル本体に設けられたものであってもよい。
【００７０】
パネル本体の形状は、種々の形状を採用することができるのはもちろんのことである。
【００７１】
その他、各部の具体的構成についても上記実施形態に限られるものではなく、本発明の趣旨を逸脱しない範囲で種々変形が可能である。
【符号の説明】
【００７２】
Ａ…ハイテーブル（机）
Ｂ…天板
Ｆ…サイドパネル
Ｇ…パネル本体
７…棚板
【図１】
2018143317.tif 000003
【図２】
2018143317.tif 000004
【図３】
2018143317.tif 000005
【図４】
2018143317.tif 000006
【図５】
2018143317.tif 000007
【図６】
2018143317.tif 000008
【図７】
2018143317.tif 000009
【図８】
2018143317.tif 000010
【図９】
2018143317.tif 000011
【図１０】
2018143317.tif 000012
【図１１】
2018143317.tif 000013
【図１２】
2018143317.tif 000014
【図１３】
2018143317.tif 000015
【図１４】
2018143317.tif 000016
【図１５】
2018143317.tif 000017